(57)【要約】【課題】竿に重い洗濯物を掛ける等して過度の荷重がかけられた時に、取り付けられた天井が壊れるのを防ぐだけではなく、近くに人がいた場合でも怪我をする危険を少なくする。【解決手段】竿３は吊下紐２・２によって昇降可能に吊り下げられ、竿３の両端にはエンドピース５・５を取り付けてある。エンドピース５には、前端側の円筒内部に受具７を摺動可能に内蔵し、受具７のねじ部２６に移動具６が螺合する。移動具６には、制動具９の係合具１０が係合し、制動具９の圧接具１１及び取付具１２には、吊下紐２を取り付けて、吊下紐２のその先に５０センチメートルから１００センチメートル程度の余長部１３を延長して残してあり、その余長部１３を竿３内に収納してある。【選択図】図２
2011083520.tif 000002
【特許請求の範囲】
【請求項１】
２本の吊下紐で吊り下げられた竿を有する吊掛装置において、それぞれ吊り下げられた吊下紐は、先端部が竿の両端に配設されたエンドピース内の制動具に取り付けられると共に、制動具より先に吊下紐を延長して残した余長部を有して成り、制動具は、吊下紐の余長部が抵抗を持って通過することができる構成とし、竿に過度の荷重がかけられた時、吊下紐の余長部が制動具を抵抗を持って通過することによって竿が制動されて低速度で落下するように構成したことを特徴とする吊掛装置。
【発明の詳細な説明】
【技術分野】
【０００１】
本発明は、２本の吊下紐で吊り下げられた竿を有し、その竿に洗濯物や衣類等を掛けたり、物干具を吊り下げたりして使用する吊掛装置に関するものである。
【背景技術】
【０００２】
従来、この種の吊掛装置として特許第３５２３５７４号発明が提案されているが、この従来例においては、竿に重い洗濯物を掛ける等して過度の荷重がかけられた時、取付具が壊れて外れ吊下紐が竿から抜け、取り付けられた天井が壊れるのを防ぐものである。
【先行技術文献】
【特許文献】
【０００３】
【特許文献１】特許第３５２３５７４号公報
【発明の概要】
【発明が解決しようとする課題】
【０００４】
上記従来例においては、取り付けられた天井が壊れるのを防ぐことはできるが、竿が洗濯物等と共に急激に落下し、近くに人がいた場合には大変危険であるという問題があり、本発明は、この問題を解決することを課題としている。
【課題を解決するための手段】
【０００５】
本発明は、上記の課題を解決するために、２本の吊下紐で吊り下げられた竿を有する吊掛装置において、それぞれ吊り下げられた吊下紐は、先端部が竿の両端に配設されたエンドピース内の制動具に取り付けられると共に、制動具より先に吊下紐を延長して残した余長部を有して成り、制動具は、吊下紐の余長部が抵抗を持って通過することができる構成とし、竿に過度の荷重がかけられた時、吊下紐の余長部が制動具を抵抗を持って通過することによって竿が制動されて低速度で落下するように構成したものである。
【発明の効果】
【０００６】
本発明は、上記のように構成されており、竿に重い洗濯物を掛ける等して過度の荷重がかけられた時には、吊下紐が、制動具によって竿が制動されて低速度で落下することになり、取り付けられた天井や本装置の他の高価な部品が壊れるのを防ぐだけではなく、近くに人がいた場合でも怪我をする危険が少なくなるという効果がある。
【図面の簡単な説明】
【０００７】
【図１】使用状態を示す全体正面図である。
【図２】要部の拡大断面図である。
【図３】要部の分解斜視図である。
【図４】制動具の分解斜視図である。
【図５】吊下紐を通した制動具を組み立てた状態の断面斜視図である。
【図６】エンドピースの上下逆にした状態を示す斜視図である。
【図７】竿に過度の荷重がかかりばねが縮退して移動具及び制動具と共に受具が後退し、エンドピースの表示窓から受具の警告部が露出して警告している状態を示し、（Ａ）は要部の拡大断面図、（Ｂ）は要部の拡大正面図である。
【図８】吊下紐が、制動具から外れて繰り出され竿から抜けた状態を示す要部の拡大断面図である。
【図９】移動具及び制動具を最も後方位置に調整した状態を示す要部の拡大断面図である。
【実施例１】
【０００８】
本体１は、その両端部から導出される吊下紐２・２を上下させる機構（図示しないが種々の機構が考えられる）が内蔵されており、一端部から吊り下げられている操作紐４を上下動操作することによって、吊下紐２・２を上下することができるようになっている。吊下紐２・２は、竿３の両端部を支持しており、竿３は吊下紐２・２によって昇降可能に吊り下げられている。以下、本明細書において前方あるいは前端とは、竿３の左側端側では左方向・左端であり、竿３の右側端側では右方向・右端であり、つまり竿３の長手方向の外側へ進出する方向（外方向）・外側を意味し、後方・後端とは、その逆方向で長手方向の内側へ進出する方向（内方向）・内側を意味している。
【０００９】
竿３の両端縁にはそれぞれ上部に切欠部１５・１５を設け、それぞれその後方側に嵌合孔１６・１６を設け、さらにそれぞれの後方側に導出孔３１・３１を設けた孔カバー２３を取り付けてある。竿３の両端にはエンドピース５・５を取り付けてある。
【００１０】
エンドピース５は、略円筒形で、前端部が少し大径になっており、その大径部には、表裏に相対向するように表示窓１８・１８を穿設すると共に、後端縁の上部に後方に向かって突出する回止突起１９を設け、小径部の上部には、上方に突出する抜止突起２０を設けてある。この抜止突起２０は、下方に撓むことができると共に、弾性で上方に復元するようになっている。
【００１１】
また、エンドピース５の後端面には、中心に通過孔３２、その下部に退出孔３３をそれぞれ設け、さらにその後方部には、ローラー１４が回転自在に取り付けられている。さらにまた、エンドピース５は、後方下部が開口部１７になっており、前端側の円筒内部には受具７を摺動可能に内蔵してある。
【００１２】
受具７は、略円筒形でばね８により前方に付勢され、エンドピース５の外縁と略面一になる位置で抜け止めされ、ばね８に抗して後方に摺動できるようになっている。
【００１３】
また受具７は、内周面にはねじ部２６を刻設すると共に、相対向するように２条の回転止溝２７・２７を設けてあり、外面には、前端部表裏面に例えば赤色の警告部２５・２５を設けると共に、上面に凹溝状の逃部２８を設けてある。回転止溝２７・２７は、前端から後端にかけて水平に設けてある。受具７のねじ部２６には後述する移動具６が螺合し、逃部２８は、エンドピース５の抜止突起２０が下方に撓むためのスペースとなる。
【００１４】
移動具６は、略円柱形で、外周面に受具７のねじ部２６に螺合するねじ部２１を刻設し、前端面にプラス溝の操作部２２を設けると共に、後端側には円形鍔状に突出し後述する制動具９の係合具１０が係合する係合突部２９を設けてあり、操作部２２をプラスドライバーで操作して回転させると、螺合しているねじ部２１及びねじ部２６により受具７の中を前後に移動するようになっている。
【００１５】
制動具９は、係合具１０、圧接具１１及び取付具１２で構成されている。係合具１０は、前端部に移動具６の係合突部２９に回動可能に係合する係合凹部３０を設けると共に、後半部を円筒状にして内周に雌ねじ部３４を設けてあり、さらに、外周には受具７の回転止溝２７・２７に対応する位置に回転止部２４・２４を設けてある。圧接具１１は、略円筒状で内周面には、相対向するように２条の略半円形状の圧接凹溝３５・３５を設けてある。取付具１２は、略円柱状で、先端部外周に雄ねじ部３６、中間部に横長手方向と直交する上下方向に貫通する取付孔３７及び後端部に断面六角形孔で六角レンチが係合する締付操作部３８を設けてある。取付具１２の雄ねじ部３６は、係合具１０の雌ねじ部３４に螺合し、雄ねじ部３６が刻設してある位置まで取付具１２を係合具１０にねじ込むことができ、この状態では、圧接具１１の圧接凹溝３５・３５と取付具１２の後端部外周との間に、吊下紐２の太さよりも小さい隙間ができるようになっている。
【００１６】
取付具１２の取付孔３７に吊下紐２を上下方向に挿通し、取付具１２の先端を圧接具１１に挿入し、圧接凹溝３５・３５が上下の吊下紐２に係合するようにして、取付具１２の雄ねじ部３６に係合具１０の雌ねじ部３４を螺合し、六角レンチを締付操作部３８に係合させて取付具１２を押さえ、係合具１０を回転させて取付具１２の雄ねじ部３６が刻設してある位置まで締め付ければ、制動具９の組立が完了する。こうすることによって、吊下紐２は、圧接具１１の圧接凹溝３５・３５と取付具１２の後端部外周によって圧接されて通過する時に抵抗となるようになり、一定以上の力で引っ張られた時に制動具９を通過することができるようになる。なお、この制動具９については、本実施例の他にも種々の構造が考えられ、吊下紐２が抵抗をもって通過できるものであればよい。
【００１７】
制動具９の係合具１０は、回転止部２４・２４が回転止溝２７・２７に摺動可能に係合すると共に、係合凹部３０が係合突部２９に回動可能に係合しているので、移動具６が回転しても回転はしないが、回転止溝２７・２７の範囲内を前後方向（長手方向）に移動具６と一緒に移動できるようになっている。
【００１８】
上述のように制動具９が吊下紐２を上下方向に挿通して組み立てられた状態では、制動具９の先に５０センチメートルから１００センチメートル程度吊下紐２を延長して余らせて、その吊下紐２の部分を余長部１３とし、その余長部１３を竿３内に収納する。
【００１９】
これらを組み立てるには、エンドピース５に受具７を開口部１７から入れて、エンドピース５の外縁と面一になる位置（この位置で抜け止めされる）まで前方に動かし、ばね８を縮めて受具７の後ろから入れる。本体１から吊り下げられている吊下紐２を、竿３の導出孔３１から入れて竿３端部から出し、エンドピース５（まだ竿３に取り付けられていない）の後端のローラー１４にかけて通過孔３２から入れ、ばね８及び受具７の中を通してエンドピース５前端から取り出す。
【００２０】
そして、その取り出された吊下紐２に上述のように、制動具９に取り付けてその先に５０センチメートル１００センチメートル程度の余長部１３を残しておく。その吊下紐２の先端をエンドピース５の先端側から入れて退出孔３３から外に取り出してから、制動具９の係合具１０を移動具６の後端に係合させ、制動具９の係合具１０の回転止部２４・２４を受具７の回転止溝２７・２７に係合させて挿入し、移動具６を受具７に螺合して取り付ける。
【００２１】
最後に、上記のように部品を取り付けられたこのエンドピース５を竿３の一端部から挿入すると、抜止突起２０が下方に撓み弾性力で上方に復元して竿３の嵌合孔１６に嵌合すると共に、回止突起１９が竿３の切欠部１５に係合し、抜け止め及び回り止めされ、図２に示すように組立は完了する。竿３の反対側についても同様にエンドピース５を取り付ける。
【００２２】
そして、本体１を天井に固定し、竿３を吊下紐２で吊り下げ、操作紐４を上下動操作することによって、吊下紐２・２を上下して竿３を昇降して使用する。
【００２３】
移動具６の操作部２２をドライバーで回動すると、移動具６は回動しながら進退するが、制動具９は回動はせずに移動具６と一緒に進退し、竿３から導出される吊下紐２の長さが変更され、竿３を水平に調整することができる。
【００２４】
使用中に、竿３に過度の荷重がかかると、図７（Ａ）（Ｂ）に示すように、ばね８に抗して受具７が後退し、表示窓１８・１８から警告部２５・２５が露出し、荷重がかかりすぎていることを使用者に警告するようになっている。この警告する荷重は、制動具９の調整位置に拘わらず、つまり図２に示すように移動具６及び制動具９が前端部にある状態でも、図９に示すように移動具６及び制動具９が後端部ある状態でも同じである。
【００２５】
つまり、移動具６及び制動具９を進退させて吊下紐２の長さを調整しても、移動具６及び制動具９が受具７の中で移動しているだけで受具７は動かず、その受具７が警告部２５・２５を変化させて警告するので、警告する荷重には変化がない。なお、竿３に物を掛ける時、瞬間的にその衝撃でその物の重さ以上の荷重がかかることがあるが、その瞬間の大きな荷重をばね８の緩衝作用で軽減することができるようになっている。
【００２６】
上記の警告にも拘わらずさらに荷重をかけてしまった場合でも、天井あるいは本装置の他の高価な部品を壊すことを避けるために、吊下紐２の余長部１３が制動具９を抵抗を持って通過して繰り出され、抵抗のない場合に比べて竿３が制動されて低速度で落下していく。
【００２７】
最終的には、図８に示すように吊下紐２が制動具９から外れ、竿３は急激に落下するが、その時は、床面に近くなっているので、大きな危険はない。
【００２８】
なお、制動具９の先に余らせてある吊下紐２の余長部１３の長さをもっと長くして、竿３が床面まであるいは床面近くにまで達するようにすれば、コストは高くなるがより安全になる。コストと安全性を考慮すると前述のように、吊下紐２の余長部１３の長さは、５０センチメートルから１００センチメートル程度が適当であるが、３０センチメートルから２００センチメートル程度の範囲内であれば本発明の目的を達することができるものであり、要するに、竿３に警告部２５・２５により警告される以上の荷重がかかった時にも、竿３が即座に急激に落下を始めることがなく、吊下紐２の余長部１３の長さの分だけ制動されて低速度で落下すればよいものである。
【００２９】
本実施例においては、竿３に過度の荷重がかかっていることを、まず使用者に表示して警告するように構成し、その後、万が一さらにより大きな荷重がかかった時でも、本発明のように、竿３が制動されて低速度で落下するようにすれば、天井が壊れるという最悪の事態を２段階で防止できると共に、竿３が洗濯物等と共に高いところから急激に落下する危険を回避することができるという効果がある。
【符号の説明】
【００３０】
２    吊下紐
３    竿
５    エンドピース
９    制動具
１３    余長部
【図１】
2011083520.tif 000003
【図２】
2011083520.tif 000004
【図３】
2011083520.tif 000005
【図４】
2011083520.tif 000006
【図５】
2011083520.tif 000007
【図６】
2011083520.tif 000008
【図７】
2011083520.tif 000009
【図８】
2011083520.tif 000010
【図９】
2011083520.tif 000011